(57)【要約】      （修正有）【課題】着用者が円背や前傾姿勢であっても，その背中部分にフィットし易い使い捨ておむつを提供する。【解決手段】使い捨ておむつであって、長手方向に延びる吸収性本体３０と外装体４０とを備える。本発明において，外装体４０は，後身頃２に，使い捨ておむつの幅方向に沿って形成された少なくとも１つのスリット４１と，スリット４１よりも後身頃２のウエスト端縁２ａ寄りの位置に配置された一又は複数のウエスト伸縮部材４２と，を有する。【選択図】図３
2015188499.tif 000002
【特許請求の範囲】
【請求項１】
着用者の腹部に接する前身頃（１）と，着用者の背部に接する後身頃（２）と，前記前身頃（１）と前記後身頃（２）との間に位置する股下部（３）とに，長手方向に区分され，
前記長手方向に延びる吸収性本体（３０）と，
前記吸収性本体（３０）の少なくとも前身頃（１）側と後身頃（２）側を肌非対向面側から被覆する外装体（４０）と，を備えた
使い捨ておむつであって，
前記外装体（４０）は，
前記後身頃（２）に，前記使い捨ておむつの幅方向に沿って形成された少なくとも１つのスリット（４１）と，
前記スリット（４１）よりも，前記後身頃（２）のウエスト端縁（２ａ）寄りの位置に配置された一又は複数のウエスト伸縮部材（４２）と，を有する
使い捨ておむつ。
【請求項２】
前記スリット（４１）は，前記吸収性本体（３０）と前記外装体（４０）が重なる領域内に形成されている
請求項１に記載の使い捨ておむつ。
【請求項３】
前記外装体（４０）は，前記スリット（４１）が形成された位置よりも，前記股下部（３）側及び前記前身頃（１）側の領域に，前記吸収性本体（３０）との接合部（５０）を有する
請求項２に記載の使い捨ておむつ。
【請求項４】
前記吸収性本体（３０）は，前記長手方向に沿った伸長状態で固定された一又は複数の立体ギャザー伸縮部材（３１）を有し，
前記吸収性本体（３０）を前記外装体（４０）に接合した状態において，前記立体ギャザー伸縮部材（３１）は，前記スリット（４１）よりも前記股下部（３）側の範囲において，伸縮性を有する
請求項３のいずれかに記載の使い捨ておむつ。
【請求項５】
前記スリット（４１）には，少なくとも，
第１スリット（４１ａ）と，
前記第１スリット（４１ａ）よりも，前記後身頃（２）のウエスト端縁（２ａ）側に位置する第２スリット（４１ｂ）と，を含み，
前記第２スリット（４１ｂ）は，前記第１スリット（４１ａ）よりも前記幅方向に長く形成されている
請求項１から請求項４のいずれかに記載の使い捨ておむつ。
【発明の詳細な説明】
【技術分野】
【０００１】
本発明は，着用者の股下に装着され，尿などの液体を吸収し保持するための使い捨ておむつに関する。具体的に説明すると，本発明の使い捨ておむつは，吸収性本体と，それを保持するための外装体とを備え，着用者が前かがみになったときなどに，外装体の後身頃が着用者の背部に追従するように構成したものである。
【背景技術】
【０００２】
従来から，着用者が排泄した尿などの液体を吸収し保持するための使い捨ておむつが知られている（例えば特許文献１）。使い捨ておむつは，代表的に，パンツ型のものとテープ型のものが知られている。例えば，パンツ型の使い捨ておむつは，前身頃と後身頃が両側部において接合されることにより，胴回りと各脚部周りに開口部が形成されている。そして，着用者は，胴回りの開口部から両脚を入れ，各脚部周りの開口部から両脚を出すことにより，パンツ型の使い捨ておむつを装着することができる。また，例えば，テープ型の使い捨ておむつは，後身頃の両端部に止着テープが設けられている。そして，着用者は，この後身頃に取り付けられている止着テープを，着用者の背部側から腹部側に回して，前身頃に取り付けることにより，テープ型の使い捨ておむつを装着することができる。
【０００３】
ただし，一般的な使い捨ておむつは，円背（猫背）の者が着用すると，その着用者の背側の腰部分を適切に覆うことができなかったり，おむつと腰部分との間に隙間が生じ易くなっており，着用者の背側から尿などの排泄液が漏れ出すことがあった。また，円背の者が一般的な使い捨ておむつを装着すると，背側が適切にフィットしないため，おむつが下方にずれ落ち易くなる。さらに，着用者が円背でなくても，ベッドから起き上がるときや長時間椅子に座っているときなど，着用者が前かがみとなったときに，おむつと腰部分との間に隙間が生じやすくなっていた。例えば，着用者がテープ型の使い捨ておむつを仰臥位（仰向けの姿勢）で装着した後，食事などの際に座った姿勢をとると，おむつの後身頃側が身体の動きに追従することができずに，おむつと着用者の背中部分との間に隙間が生じてしまい漏れの原因となる。また，着用者がおむつを装着したまま寝起きを繰り返したり，座った姿勢が長時間続くと，おむつと着用者の背中部分とのずれが大きなものとなり，おむつの着用感が低下してしまう。
【０００４】
このような，一般的な使い捨ておむつの問題を解決するための技術として，例えば特許文献２や特許文献３に開示された技術が知られている。
【０００５】
例えば，特許文献２の使い捨ておむつは，その後身頃に，ウエスト端縁よりも上方にはみ出す延伸領域が形成されている。特許文献２の使い捨ておむつは，後身頃に延伸領域を形成することで，着用者の姿勢や体型によらず，背側部分で臀部の上部がはみ出し易くなることを防止し，しかも尿漏れの発生を抑制することができるとされている。
【０００６】
また，特許文献３の使い捨ておむつは，その後身頃に，一又は複数のタックが形成されており，着用者が前傾となった場合でも，着用者の背部の伸びに合わせてタックを展開するように構成されている。これにより，特許文献３の使い捨ておむつは，装着性や身体保持性を低下させることなく，着用者が前傾姿勢となった場合であっても，後身頃を追従させることができるとされている。
【先行技術文献】
【特許文献】
【０００７】
【特許文献１】特開２０１１−０１５８２１号公報
【特許文献２】特開２０１２−１９２１１５号公報
【特許文献３】特開２０１２−２３９５５５号公報
【発明の概要】
【発明が解決しようとする課題】
【０００８】
上記した特許文献２や特許文献３のように，使い捨ておむつの後身頃に延伸領域やタックを形成することで，円背の着用者である場合や，着用者が前傾姿勢となった場合であっても，着用者の背中部分におむつの後身頃をフィットさせることができる。しかしながら，使い捨ておむつの後身頃に延伸領域やタックを形成すると，円背でない着用者がおむつを装着した場合や，着用者の背中が真っ直ぐ伸びている場合には，おむつの後身頃がダブつくこととなる。そうすると，使い捨ておむつを着用しづらくなったり，着用中に後身頃がめくれ上がったりして，着用感が低下するという問題がある。特に，様々な状態の利用者がいる介護施設などに複数の使い捨ておむつを配備する場合には，利用者の状態に応じて，使い捨ておむつを使い分ける必要が生じる。
【０００９】
また，上記した特許文献２や特許文献３のように，使い捨ておむつの後身頃に延伸領域やタックを形成すると，使い捨ておむつの構造が複雑になり，その製造が難しくなるばかりか，原材料費が高くなって製造コストが嵩むという問題がある。
【００１０】
このため，現在では，着用者が円背や前傾姿勢であっても，その背中部分にフィットしやすく，着用感を損なわない構造であり，しかも製造が容易な使い捨ておむつが求められている。
【課題を解決するための手段】
【００１１】
そこで，本発明の発明者は，従来の問題の解決手段について鋭意検討した結果，使い捨ておむつの後身頃の少なくとも一部に幅方向に延びるスリットを形成し，このスリットの上方にウエスト伸縮部材を配置するという構造を見出した。すなわち，着用者が円背や前傾姿勢であっても，後身頃にスリットが開くことで，おむつの後身頃が着用者の背中部分に追従するため，背中部分に隙間が生じることを防止できる。また，後身頃にスリットを形成するだけで良いため，使い捨ておむつの着用感が損なわれたり，製造が困難になったりすることもない。そして，本発明者は，上記知見に基づけば，従来技術の課題を解決できることに想到し，本発明を完成させた。
具体的に説明すると，本発明は以下の構成を有する。
【００１２】
本発明は，使い捨ておむつに関する。
本発明の使い捨ておむつは，着用者の腹部に接する前身頃１と，着用者の背部に接する後身頃２と，これらの間に位置する股下部３とに，長手方向に区分される。
また，本発明の使い捨ておむつは，長手方向に延びる吸収性本体３０と，外装体４０とを備える。外装体４０は，吸収性本体３０の少なくとも前身頃１側と後身頃２側を肌非対向面側から被覆する部材である。外装体４０は，さらに，吸収性本体３０の股下部を被覆するものであってもよい。
外装体４０は，少なくとも１つのスリット４１と，一又は複数のウエスト伸縮部材４２と，を有する。スリット４１は，外装体４０の後身頃２に形成されており，使い捨ておむつの幅方向に沿って延びる切れ目である。また，ウエスト伸縮部材４２は，スリット４１よりも，後身頃２のウエスト端縁２ａ寄りの位置に配置された弾性伸縮部材である。ウエスト伸縮部材４２は，幅方向に沿って伸縮するように外装体４０に固定されている。
【００１３】
上記構成のように，外装体４０の後身頃２にスリット４１を形成し，このスリット４１よりもウエスト端縁２ａ側にウエスト伸縮部材４２を配置することで，使い捨ておむつの着用者が円背や前傾姿勢であっても，外装体４０の後身頃２が追従するようになる。すなわち，着用者が前傾姿勢をとると，着用者の背部が伸びて曲がるようになるが，このとき，着用者の背部の伸びに合わせてスリット４１が開き，スリット４１の上方に配置されているウエスト伸縮部材４２が，着用者の背部に密着しつづけることとなる。このため，着用者が前傾となったときでも，着用者の背部と外装体４０の後身頃２の間に大きな隙間が生じることを防止できる。その結果，使い捨ておむつの後身頃２側から，尿などの排泄物が漏れ出すことを防止することが可能となる。さらに，後身頃２にスリット４１を形成するだけでフィット性が高まるため，着用感を損なうことなく，しかも使い捨ておむつの製造が容易となる。
【００１４】
本発明の使い捨ておむつにおいて，スリット４１は，吸収性本体３０と外装体４０が重なる領域内に形成されていることが好ましい。
【００１５】
上述したように，着用者が前傾姿勢をとると，外装体４０に形成されているスリット４１が開き，開口が形成される。このとき，この開口から着用者の肌が露出して着用者に不安感を与えたり，排泄物が漏れ出して衣服等を汚してしまうような事態も懸念される。そこで，上記構成のように，外装体４０と吸収性本体３０が重なる領域にスリット４１を形成することで，スリット４１が開いたときには，吸収性本体３０によって，その開口を覆うことができる。従って，スリット４１が開いたときにも，着用者の肌が露出したり，開口から排泄物が漏出することを効果的に防止することができる。これにより，使い捨ておむつの着用しているときの安心感が向上する。
【００１６】
本発明の使い捨ておむつにおいて，外装体４０は，スリット４１が形成された位置よりも，股下部３側及び前身頃１側の領域に，吸収性本体３０との接合部５０を有することが好ましい。
【００１７】
上述したように，外装体４０と吸収性本体３０が重なる領域にスリット４１を形成することで，スリット４１が開いたときに生じる開口を，吸収性本体３０によって覆うことができる。ただし，この場合に，スリット４１の近傍において，外装体４０と吸収性本体３０を接合してしまうと，着用者が前傾姿勢となったときに，スリット４１が開かなくなり，スリット４１の開閉を阻害してしまうことが懸念される。そこで，上記構成のように，スリット４１よりも股下部３側の領域において，吸収性本体３０と外装体４０とを接合することで，スリット４１の開閉を阻害することがなくなる。従って，スリット４１が自由に開閉することによって，外装体４０の追従効果を最大限発揮することができる。
【００１８】
本発明において，吸収性本体３０は，長手方向に沿った伸長状態で固定された一又は複数の立体ギャザー伸縮部材３１を有するものであってもよい。この場合に，立体ギャザー伸縮部材３１は，スリット４１よりも股下部３側の範囲において，伸縮性を有することが好ましい。
【００１９】
上述したように，スリット４１よりも股下部３側の領域において，吸収性本体３０と外装体４０とを接合することで，スリット４１の開閉が阻害されることを回避できる。ただし，この場合に，吸収性本体３０に設けられた立体ギャザー伸縮部材３１がスリット４１を超える位置まで伸縮性を有するものであると，立体ギャザー伸縮部材３１の収縮作用によって，吸収性本体３０の後身頃２側の端部が捲れ上がってしまう事態が懸念される。そこで，上記構成のように，立体ギャザー伸縮部材３１の伸縮性を，スリット４１よりも股下部３側の範囲に留めることで，吸収性本体３０の端部が捲れ上がる事態を防止することができる。また，このような観点から，吸収性本体３０に設けられた立体ギャザー伸縮部材３１は，吸収性本体３０と外装体４０が接合された範囲（接合部５０）内にて，伸縮性が付与されたものであることが特に好ましい。
【００２０】
本発明の使い捨ておむつにおいて，外装体４０には，２以上のスリット４１が形成されていてもよい。例えば，スリット４１には，第１スリット４１ａと，この第１スリット４１ａよりも後身頃２のウエスト端縁２ａ側に位置する第２スリット４１ｂとが，を含まれていてもよい。この場合に，第２スリット４１ｂは，第１スリット４１ａよりも幅方向に長く形成されていることが好ましい。
【００２１】
上記構成のように，ウエスト端縁２ａ側に位置する第２スリット４１の幅方向の長さを，第１スリット４１ａよりも長くすることで，着用者の背部に対する外装体４０の後身頃２の追従性がさらに向上する。従って，上記構成によれば，使い捨ておむつの着用感をさらに向上させることができる。
【発明の効果】
【００２２】
本発明の使い捨ておむつは，着用者が円背や前傾姿勢であっても，その背中部分にフィットするため，着用中の安心感を高めることができる。また，本発明の使い捨ておむつは，特に付加的な資材を必要としないため，製造が容易であるといえる。
【図面の簡単な説明】
【００２３】
【図１】図１は，使い捨ておむつの一例を示した外観斜視図であり，後身頃側からみた状態を示している。
【図２】図２は，使い捨ておむつの一例を示した展開図であり，肌対向面側から見た状態を示している。
【図３】図３は，使い捨ておむつの一例を示した展開図であり，肌非対向面側から見た状態を示している。
【図４】図４は，使い捨ておむつの後身頃側を拡大して示した拡大図である。
【図５】図５は，使い捨ておむつの着用時の状態を概念的に示した模式図である。
【図６】図６は，使い捨ておむつの他の例を示した展開図であり，肌非対向面側から見た状態を示している。
【発明を実施するための形態】
【００２４】
以下，図面を用いて本発明を実施するための形態について説明する。本発明は，以下に説明する形態に限定されるものではなく，以下の形態から当業者が自明な範囲で適宜修正したものも含む。
【００２５】
本願明細書において，「長手方向」とは，使い捨ておむつの前身頃と後見頃を結ぶ方向である。また，「幅方向」とは，使い捨ておむつの長手方向と平面的に直交する方向である。図中において，「長手方向」はＹ軸で示され，「幅方向」はＸ軸で示されている。
また，本願明細書において，「肌対向面」とは，着用時において着用者の肌と対向する面を意味し，「肌非対向面」とは，着用時において着用者の肌に対向しない面を意味する。
また，本願明細書において，「Ａ〜Ｂ」とは，「Ａ以上Ｂ以下」であることを意味する。
【００２６】
本発明は，使い捨ておむつであれば，公知のものに広く適用可能である。例えば，本発明は，パンツ型の使い捨ておむつや，テープ型の使い捨ておむつに適用することができる。パンツ型の使い捨ておむつは，前身頃と後身頃が両側部において接合されることにより，胴回りと各脚部周りに開口部が形成されたタイプの使い捨ておむつである。また，テープ型の使い捨ておむつは，後身頃の両端部に止着テープが設けられているタイプの使い捨ておむつである。
【００２７】
特に，本発明は，パンツ型の使い捨ておむつに好適に適用することができる。パンツ型の使い捨ておむつは，それぞれ別体として形成された前身頃外装体と後身頃外装体の間に，吸収性本体が架橋された構成を有する架橋タイプのものであってもよい。架橋タイプのおむつの場合，前身頃外装体と後身頃外装体の間には隙間があり，吸収性本体の股下部を被覆位置に外装体は設けられていない。また，パンツ型の使い捨ておむつは，前身頃から股下部を通って後身頃に掛けて一体的に形成された外装体に，股下部を中心として吸収性本体を固定した一体タイプのものであってもよい。以下では，これらのパンツ型使い捨ておむつのうち，外装体が前身頃から後身頃に掛けて一体的に形成された一体タイプを例に挙げて，本発明の内容を具体的に説明する。
【００２８】
図１は，一実施形態に係るパンツ型使い捨ておむつ１００を後身頃側から見た例を示す斜視図である。また，図２及び図３は，使い捨ておむつ１００の例を示す展開図である。図２は，使い捨ておむつ１００を肌対向面側から見た状態を示し，図３は，使い捨ておむつ１００を肌非対向面側から見た状態を示している。図２及び図３の展開図に示されるように，使い捨ておむつ１００は，長手方向（Ｙ軸方向）と幅方向（Ｘ軸方向）を有している。使い捨ておむつ１００は，装着された際に，着用者の腹部に接する前身頃１と，着用者の背部に接する後身頃２と，着用者の股下にあてがわれる股下部３とに，長手方向に区分される。本実施形態において，使い捨ておむつ１００は，前身頃１から，股下部３を通り，後身頃２に至るまで一体的に形成された外装体４０を備える。そして，外装体４０の肌対向面側には，股下部３を中心として，前身頃１と後身頃２に延在するように，吸収性本体３０が配置されている。
【００２９】
図２に示された展開状態から，前身頃１と後身頃２の左右両側部４を互いに重ね合わせた状態で接合する。これにより，前身頃１と後身頃２の左右両端に，サイドシール部が形成される。このように，左右両側部４において，前身頃１と後身頃２を互いに接合することにより，図２に示された展開状態から，図１に示された状態に組み上がる。図１に示されるように，前身頃１の上端縁と後身頃２の上端縁により，ウエスト開口部５が形成される。また，前身頃１と後身頃２の両端両側部４が接合されることにより，装着時に着用者の左右の脚部周りに位置する一対のレッグ開口部６が形成される。このため，着用者は，ウエスト開口部５から両脚部を入れ，各脚部をレッグ開口部６から出すことで，使い捨ておむつ１００を装着することができる。
【００３０】
本発明において，吸収性本体３０の構成としては，適宜，公知の構成を採用できる。吸収性本体３０は，基本的に，肌対向面側に位置する液透過性のトップシートと，肌非対向面側に位置する液不透過性のバックシートの間に，吸収性材料で構成された吸収体が封入された構造を有する。例えば，トップシートを構成する液透過性材料の例は，織布，不織布，又は多孔性フィルムである。また，例えばポリプロピレンやポリエチレン，ポリエステル，ナイロンのような熱可塑性樹脂の繊維を親水化処理してさらに不織布にしたものを用いることとしてもよい。また，バックシートを構成する液不透過材料の例は，ポリエチレン樹脂からなる液不透過性のフィルムである。特に，０．１〜４μｍの微細な孔が複数形成された微多孔性ポリエチレンフィルムを用いることが好ましい。また，吸収体を構成する吸収性材料としては，例えば，フラッフパルプ，高吸収性ポリマー，又は親水性シートを用いることができる。また，吸収性材料には，フラッフパルプ，高吸収性ポリマー，又は親水性シートのうち１種類を単独で用いてもよいし，２種類以上を併用することとしてもよい。
【００３１】
図１〜図３に示されるように，吸収性本体３０は，少なくとも後身頃２側の幅が広く形成された形状であることが好ましい。例えば，吸収性本体３０は，図１〜図３に示されるような砂時計型であってもよい。砂時計型とは，吸収性本体３０のうち，前身頃１側と後身頃２側の両方が幅広に形成され，股下部３が幅狭に形成された形状を意味する。また，図示は省略するが，吸収性本体３０は，後身頃２側の幅のみが広く形成されたＴ字型の形状であってもよい。後述するように，使い捨ておむつの後身頃２のうち，外装体４０と吸収性本体３０とが重なる領域において，この外装体４０にスリット４１が形成される。このため，吸収性本体３０を，上記の砂時計型やＴ字型とすることで，スリット４１の幅方向の長さを長く確保することができる。
【００３２】
また，図２に示されるように，吸収性本体３０には，立体ギャザーが形成されていてもよい。立体ギャザーは，吸収性本体３０の両側縁部に沿って起立し，着用者が排泄した尿の横漏れを防止するための部材である。一対の立体ギャザーは，それぞれ，一又は複数の立体ギャザー伸縮部材３１とサイドシート３２とによって構成される。サイドシート３２は，吸収性本体３０の左右両側に，長手方向に沿って配置されたシート部材である。また，サイドシート３２は，長手方向の両端が吸収性本体３０に固定されており，長手方向の中央部分に非固定の自由部分が形成されている。サイドシート３２の自由部分の先端部には，立体ギャザー伸縮部材３１が，長手方向に沿った伸長状態で固定されている。このため，立体ギャザー伸縮部材３１が収縮すると，サイドシート３２の自由部分が，着用者の肌に当接する方向に向かって立ち上がる。これにより，一対の立体ギャザーは，尿の防漏壁となり，トップシートを透過しなかった尿や，吸収体により吸収しきれなった尿が，使い捨ておむつの脚部周り開口部などから漏出する横漏れを防止する。立体ギャザーは，従来の使い捨ておむつに用いられている公知の構成を採用することができる。例えば，サイドシート３２は，疎水性と通気性を有するシート部材であることが好ましい。サイドシート３２としては，例えば，カードエンボスやスパンボンド等の製法により得られた不織布シートを使用することができ，特に防水性が高いＳＭＳやＳＭＭＳ等の不織布シートを用いることが好ましい。
【００３３】
外装体４０は，肌対向面側（着用者の肌に対向する面側）に位置するインナーシート４０ａと，肌非対向面側（着用者の肌に対向しない面側）に位置するアウターシート４０ｂと，を有する。インナーシート４０ａとアウターシート４０ｂは，互いに重ね合わされて，ホットメルト接着剤などによって接合されている。インナーシート４０ａとアウターシート４０ｂは，それぞれ，手触りの良い不織布などで構成することが好ましい。
【００３４】
ここで，本発明の使い捨ておむつ１００は，図１〜図３に示されるように，外装体４０の後身頃２に，一又は複数のスリット４１が形成されている。スリット４１は，使い捨ておむつの幅方向（Ｙ方向）に沿って延びる切れ目である。なお，図示した例では，スリット４１は，幅方向と平行に延びる直線状に形成されているが，スリット４１の形状はこれに限定されない。スリット４１は，幅方向に沿って延在していればよく，斜線状や，Ｖ字状，円弧状，波線状，ジグザグ線状，その他線状であってもよい。また，スリット４１は，外装体４０の一部をくり貫いたような開口状であってもよい。外装体４０にスリット４１を形成することで，外装体４０を長手方向に引っ張ったときに，スリット４１が開くようになる。スリット４１が開いた部分には，開口が形成される。
【００３５】
図１〜図３に示されるように，本発明において，スリット４１は，外装体４０と吸収性本体３０とが重なる位置に形成されていることが好ましい。特に，吸収性本体３０が，後身頃２側が幅広となった形状である場合，スリット４１は，吸収性本体３０の幅広となった部位と外装体４０が重なる領域内に形成されていることが好ましい。このように，吸収性本体３０と外装体４０が重なる位置に，スリット４１を設けることで，スリット４１が開いて開口が形成されても，その開口から着用者の肌が露出することを防止できる。
【００３６】
また，図３は，吸収性本体３０と外装体４０が接合されている接合部５０を，模式的に示している。図３に示されるように，吸収性本体３０と外装体４０は，前身頃１から，股下部３を通り，後身頃２に至る位置まで，接合部５０において接合されている。ただし，図３に示されるように，接合部５０は，スリット４１が形成された位置よりも，股下部３及び前身頃１側にのみ，形成されていることが好ましい。すなわち，接合部５０を，スリット４１よりも後身頃２のウエスト端縁２ａ寄りの位置に形成すると，外装体４０を長手方向に引っ張っても，スリット４１が開かなくなる恐れがある。このため，スリット４１の開閉を阻害しないようにするために，吸収性本体３０と外装体４０の接合部５０は，スリット４１よりも股下部３側のみに形成されていることが好ましい。
【００３７】
また，図１〜図３に示されるように，外装体４０の前身頃１と後身頃２には，それぞれ，複数の弾性伸縮部材４２，４３が配置されている。複数の弾性伸縮部材４２，４３は，基本的に，使い捨ておむつの幅方向（Ｘ軸方向）に沿って伸長した状態で，外装体４０の前身頃１と後身頃２に固定されている。具体的には，複数の弾性伸縮部材４２，４３は，外装体４０を構成するインナーシート４０ａとアウターシート４０ｂの間に，挟み込んで固定されているものである。複数の弾性伸縮部材４２，４３は，それぞれ，幅方向（Ｘ方向）に延びており，長手方向（Ｙ方向）に所定間隔を空けて配置されている。このため，複数の弾性伸縮部材４２，４３が収縮すると，前身頃１と後身頃２を構成するシート部材（不織布等）に皺が生じてギャザーが形成される。このように，使い捨ておむつの前身頃１と後身頃２にギャザーを形成することで，着用者の腹周りに柔軟にフィットするようになる。
【００３８】
具体的に説明すると，外装体４０に固定される複数の弾性伸縮部材には，ウエスト伸縮部材４２が含まれる。ウエスト伸縮部材４２は，前身頃１のウエスト端縁１ａの近傍と，後身頃２のウエスト端縁２ａの近傍に配置される部材である。本発明において，後身頃２に配置されるウエスト伸縮部材４２とは，スリット４１よりも，ウエスト端縁２ａ寄りの位置に配置される弾性伸縮部材を意味する。特に，ウエスト伸縮部材４２は，外装体４０の後身頃２の略全域に亘って配置された部材であることが好ましい。つまり，ウエスト伸縮部材４２は，後身頃２の左右両側部４を繋ぐように連続的に配置された部材であることが好ましい。さらに，ウエスト伸縮部材４２は，吸収性本体３０と重畳しない位置に配置されていることが好ましい。つまり，ウエスト伸縮部材４２は，吸収性本体３０の長手方向端縁よりも，ウエスト端縁２ａ寄りの位置に配置されていることが好ましい。例えば，ウエスト伸縮部材４２の数は，１本以上であればよく，２本以上であることが好ましく，２本〜８本，又は３本〜６本程度であることが特に好ましい。
【００３９】
このように，スリット４１よりもウエスト端縁２ａ寄りの位置にウエスト伸縮部材４２を配置することで，外装体４０のウエスト端縁２ａ近傍が着用者の背中部分にフィットする。そうすると，着用者が前傾姿勢をとったような場合に，その動作に連動して，外装体４０が長手方向に引っ張られて，スリット４１が開くようになる。その結果，外装体４０の後身頃２が着用者の背中部分にフィットしたまま追従するようになる。
【００４０】
また，外装体４０に固定される複数の弾性伸縮部材には，タミー伸縮部材４３が含まれていてもよい。タミー伸縮部材４３は，ウエスト伸縮部材４２よりも，股下部３寄りの位置に配置される部材である。本実施形態において，タミー伸縮部材４３は，吸収性本体３０と重なる位置に配置されている。このため，図３に示されるように，タミー伸縮部材４３は，吸収性本体３０と重なる領域において，伸縮性が発現しないように切断されている。つまり，タミー伸縮部材４３は，吸収性本体３０の左右両側に配置された状態となる。吸収性本体３０とタミー伸縮部材４３が重なると，タミー伸縮部材４３が収縮した際に吸収性本体３０に撓みが生じてしまう。これを防止するために，タミー伸縮部材４３は，吸収性本体３０の左右両側に位置するように配置されている。例えば，タミー伸縮部材４３の数は，２本以上であることが好ましく，３本〜２０本，又は４本〜１５本程度であることが特に好ましい。
【００４１】
さらに，外装体４０には，脚周りのギャザーを形成する複数のレッグ伸縮部材４４が含まれていてもよい，レッグ伸縮部材４４は，使い捨ておむつ１００のレッグ開口部６の周縁に沿って固定されている。レッグ伸縮部材４４が収縮することで，レッグ開口部６の周縁に皺が生じてギャザーが形成される。
【００４２】
外装体４０に固定される各種の弾性伸縮部材としては，伸縮性を有する公知の部材を用いることができる。例えば，弾性伸縮部材としては，糸状や平状の弾性ゴムを用いることができる。このようなゴム材としては，スチレン系ゴム，オレフィン系ゴム，ウレタン系ゴム，エステル系ゴム，ポリウレタン，ポリエチレン，ポリスチレン，スチレンブタジエン，シリコーン，ポリエステル等の素材を用いることができる。また，弾性伸縮部材としては，シート状の伸縮フィルム，網目状の伸縮部材，伸縮性不織布など，伸縮性を有する部材を適宜採用することができる。
【００４３】
また，図２の展開図に示されるように，吸収性本体３０に取り付けられている立体ギャザー伸縮部材３１は，スリット４１よりも股下部３側の範囲において，伸縮性を有することが好ましい。言い換えると，立体ギャザー伸縮部材３１は，スリット４１よりもウエスト端縁２ａ側の範囲において，伸縮性が発現しないようにされていることが好ましい。例えば，立体ギャザー伸縮部材３１を，スリット４１よりもウエスト端縁２ａ側に配置しなければよい。また，例えば，立体ギャザー伸縮部材３１が，スリット４１よりもウエスト端縁２ａ側に配置されている場合であっても，スリット４１よりもウエスト端縁２ａ側の領域では，立体ギャザー伸縮部材３１が収縮しない弛んだ状態となっていればよい。例えば，吸収性本体３０に設けられた立体ギャザー伸縮部材３１がスリット４１を超える位置まで伸縮性を有するものであると，立体ギャザー伸縮部材３１の収縮作用によって，吸収性本体３０の後身頃２側の端部が捲れ上がってしまう事態が懸念される。そこで，上記した構成のように，立体ギャザー伸縮部材３１の伸縮性を，スリット４１よりも股下部３側の範囲に留めることで，吸収性本体３０の端部が捲れ上がる事態を防止することができる。また，このような観点から，吸収性本体３０に設けられた立体ギャザー伸縮部材３１は，吸収性本体３０と外装体４０が接合された範囲（接合部５０）内にて，伸縮性が付与されたものであることが特に好ましい。
【００４４】
続いて，図４を参照して，外装体４０に形成するスリット４１の形状について，さらに詳しく説明する。図４は，使い捨ておむつの後身頃２を拡大して示している。図４において，符号ａは，スリット４１の幅方向（Ｘ方向）の長さを示している。また，符号ｂは，スリット４１を，後身頃２のウエスト端縁２ａ側に引っ張ったときに生じる開口の最大長さを示している。開口の最大長さとは，外装体４０が破れない程度で最大限引っ張ったときに生じる開口の長手方向（Ｙ方向）の長さである。また，符号ｃは，スリット４１から吸収性本体３０の長手方向の端縁までの距離を示している。
【００４５】
ここで，スリット４１の長さａ，開口の最大長さｂ，及び距離ｃの値は，以下の式（１）に示す関係を満足するものであることが好ましい。
式（１）・・・ａ／２≦ｂ≦ｃ
【００４６】
上記のように，ｂの値がａ／２以上であることにより，外装体４０が長手方向に引っ張られたときに，外装体４０の後身頃２が，着用者の背中部分に効果的に追従するようになる。特に，ｂの値は，ａ／２と等しいことが好ましい（ａ／２＝ｂ）。
【００４７】
また，上記のように，ｃの値がｂ以上であることにより，スリット４１が最大開いても，スリット４１により生じる開口を吸収性本体３０によって覆い隠すことができる。特に，ｃの値は，ｂよりも大きいことが好ましい（ｂ＜ｃ）。
【００４８】
また，図５は，本発明に係る使い捨ておむつ１００を，着用者が着用している状態を模式的に示している。図５に示されるように，着用者が円背である場合や，着用者が前かがみとなった場合には，外装体４０の後身頃２のウエスト端縁２ａ近傍に配置されたウエスト伸縮部材４２が，着用者の背中部分にフィットしたまま追従する。このとき，ウエスト伸縮部材４２が着用者の背中部分に追従することで，外装体４０が長手方向に引っ張られる。そうすると，外装体４０のうち，ウエスト伸縮部材４２よりも股下部３寄りの位置に形成されたスリット４１が開くようになる。さらに，このスリット４１は，外装体４０と吸収性本体３０が重畳する領域内に形成されている。このため，スリット４１が開いて開口が生じても，その開口には吸収性本体３０が位置している。従って，スリット４１の開口からは，着用者の肌が露出しないようになっている。このように，本発明の使い捨ておむつ１００は，着用者が円背である場合や，着用者が前かがみとなった場合であっても，後身頃２側に隙間が生じにくくなっている。
【００４９】
図６は，本発明の他の実施形態を示した展開図である。図６は，図３と同様に，使い捨ておむつ１００を肌非対向面側から見た状態を示している。図６に示した実施形態は，上述した実施形態とは異なり，外装体４０の後身頃２に，複数のスリット４１が形成されている。このように，外装体４０には，複数のスリット４１が形成されていてもよい。
【００５０】
具体的に説明すると，本実施形態において，外装体４０の後身頃２には，第１スリット４１ａと，第２スリット４１ｂと，第３スリット４１ｃが形成されている。これらのスリットは，第１スリット４１ａから順に，股下部３寄りの位置に設けられている。つまり，第１スリット４１ａが最も股下部３寄りの位置に形成され，第３スリット４１ｃが最もウエスト端縁２ａ寄りの位置に形成され，第２スリット４１ｂが第１スリット４１ａと第３スリット４１ｃの間に形成されている。
【００５１】
このような形態において，各スリットの幅方向（Ｘ方向）の長さは，股下部３寄りに位置するスリットが短く，ウエスト端縁２ａ寄りに位置するスリットが長くなっていることが好ましい。具体的には，幅方向の長さは，第１スリット４１ａが一番短く，第２スリット４１ｂが次に短く，第３スリット４１ｃが一番長くなっている。このように，スリットの長さを調節することで，外装体４０が長手方向に引っ張られたときに，スリットが開きやすくなる。このため，使い捨ておむつの着用感が向上する。
【００５２】
また，スリットが複数形成されている場合に，各スリットの間の長手方向（Ｙ方向）の間隔は，ウエスト端縁２ａ寄りに位置するものの方が短いことが好ましい。具体的には，第１スリット４１ａと第２スリット４１ｂの間の間隔よりも，第２スリット４１ｂと第３スリット４１ｃの間の間隔の方が短くなっている。このように，スリットの間隔を調節することで，外装体４０が長手方向に引っ張られたときに，スリットが開きやすくなる。従って，この場合においても，使い捨ておむつの着用感が向上する。
【００５３】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００５４】
本発明は，乳幼児用や高齢者用の使い捨ておむつに関する。従って，本発明は，使い捨ておむつの製造業において好適に利用し得る。
【符号の説明】
【００５５】
１…前身頃                    １ａ…ウエスト端縁        ２…後身頃
２ａ…ウエスト端縁            ３…股下部                ４…左右両側部
５…ウエスト開口部            ６…レッグ開口部          ３０…吸収性本体
３１…立体ギャザー伸縮部材    ３２…サイドシート        ４０…外装体
４０ａ…インナーシート        ４０ｂ…アウターシート    ４１…スリット
４１ａ…第１スリット          ４１ｂ…第２スリット      ４１ｃ…第３スリット
４２…ウエスト伸縮部材        ４３…タミー伸縮部材      ４４…レッグ伸縮部材
５０…接合部                  １００…使い捨ておむつ
【図１】
2015188499.tif 000003
【図２】
2015188499.tif 000004
【図３】
2015188499.tif 000005
【図４】
2015188499.tif 000006
【図５】
2015188499.tif 000007
【図６】
2015188499.tif 000008